(57)【特許請求の範囲】
【請求項１】
下端が給水管(5)(50)に接続される給水用立上り管(2)と、立上り管(2)を内蔵する中空柱状のケーシング(3)と、ケーシング(3)の上端部に設けられかつ立上り管(2)の上端が接続されている給水栓(4)とを備えてなる水栓柱において、ケーシング(3)が前後２つに縦割りされ、前後２つのケーシング分割体(3A)(3B)は、木材を２つに縦割りして得られた２つの木材分割体から形成されていて、これら(3A)(3B)に後方からねじ込まれた木ねじ(6)によって分離自在に結合されており、少なくとも一方のケーシング分割体(3A)(3B)の切断面には、切削加工により立上り管収容用凹部(31)が形成されていることを特徴とする、水栓柱。
【請求項２】
ケーシング分割体(3A)(3B)を形成するための木材として、防腐処理が施された焼き丸太が用いられていることを特徴とする、請求項１記載の水栓柱。
【請求項３】
立上り管(2)の下端が接続される給水管(5)が、地中に埋設されるかまたは地上に配設されており、ケーシング(3)は、その下端側が所要長さだけ地中に埋設されることにより、地面に立てられていることを特徴とする、請求項１または２記載の水栓柱。
【請求項４】
立上り管(2)の下端が接続される給水管(50)が、地上に配設されており、ケーシング(3)は、その下端部が地面に載置された支持台(12)に支持固定されることにより、地面に移動自在に立てられていることを特徴とする、請求項１または２記載の水栓柱。
【請求項５】
支持台(12)が、基部(121)と、基部(121)の上面に設けられかつケーシング(3)の下端部が嵌め込まれる筒状のケーシング保持部(122)とよりなり、ケーシング保持部(122)にボルト孔があけられ、同孔にねじ込まれた抜け止め用ボルト(123)の先端がケーシング(3)の下端部外面に圧接させられるようになっていることを特徴とする、請求項４記載の水栓柱。
【請求項６】
立上り管(2)の上下両端部に、これらを給水栓(4)および給水管(5)(50)それぞれに接続するためのＬ形管継手(7)の内端部が接続され、前側ケーシング分割体(3A)における上下２つのＬ形管継手(7)の外端開口に対応する箇所に連通用孔(32)があけられ、同孔(32)の周縁部にＬ形管継手(7)の外端部が固定されていることを特徴とする、請求項１〜５のいずれか１つに記載の水栓柱。
【発明の詳細な説明】
【０００１】
【発明の属する技術分野】
この発明は、庭や公園等に設置される水栓柱に関する。
【０００２】
【従来の技術】
水栓柱としては、下端が給水管に接続される給水用立上り管と、立上り管を内蔵する中空柱状のケーシングと、ケーシングの上端部に設けられかつ立上り管の上端に接続される給水栓とを備え、ケーシングが合成樹脂または金属から一体に形成されたものが知られている。上記水栓柱にあっては、通常、立上り管の両端部にエルボ等の管継手が取り付けられ、同管継手の外端開口に対応するケーシングの周壁部分に連通用孔があけられ、同孔の周縁に管継手の外端部が固定されるようになっている。また、上記水栓柱では、通常、ケーシングの周壁と立上り管との間に硬質発泡樹脂製の断熱材が充填され、それによって立上り管の凍結等による破損が防止されるようになっている。
【０００３】
【発明が解決しようとする課題】
上記水栓柱は、ケーシングが合成樹脂または金属から一体に形成されているため、組立の際には、まず、ケーシング内に管継手付き立上り管を挿入して同管を所定位置に保持しながら、ケーシング周壁の連通用孔周縁に管継手の外端部を固定する必要があるため、その作業に手間を要するという問題があった。また、立上り管が凍結等によって破損した場合、ケーシングから立上り管を取り出して立上り管のみを交換するといった事ができないかまたは可能であってもその作業が煩雑で難しく、結局、水栓柱全体を交換しているのが実情である。
【０００４】
さらに、上記水栓柱は、その外観を構成するケーシングが合成樹脂や金属等の人工材料で形成されているため、自然環境に馴染み難く、廃棄処理に際しては環境破壊の要因となるおそれがあった。
【０００５】
この発明の目的は、組立作業が容易であり、凍結等によって立上り管が破損した際には立上り管のみを簡単に交換することができ、また、自然環境に馴染み易くかつ廃棄処理時に問題の起こらない材料をケーシングの材料として選択することができる水栓柱を提供することにある。
【０００６】
【課題を解決するための手段および発明の効果】
この発明による水栓柱は、下端が給水管に接続される給水用立上り管と、立上り管を内蔵する中空柱状のケーシングと、ケーシングの上端部に設けられかつ立上り管の上端が接続されている給水栓とを備えてなるものにおいて、ケーシングが前後２つに縦割りされ、前後２つのケーシング分割体は、木材を２つに縦割りして得られた２つの木材分割体から形成されていて、これらに後方からねじ込まれた木ねじによって分離自在に結合されており、少なくとも一方のケーシング分割体の切断面には、切削加工により立上り管収容用凹部が形成されていることを特徴とするものである。
【０００７】
上記のように、水栓柱のケーシングが２つに縦割りされ、２つのケーシング分割体が分離自在に結合されていれば、水栓柱を組み立てる際には、２つのケーシング分割体を分離した状態で立上り管を所定位置にセットしてから両ケーシング分割体を結合すればよいので、それだけ組立作業が楽になる。また、凍結等により立上り管が破損した場合には、結合状態のケーシング分割体を分離して、立上り管を取り出した後、新たな立上り管を所定位置にセットして両ケーシング分割体を結合すればよいので、同様の場合に水栓柱全体の交換が必要であった従来技術と比べて、経済的である。さらに、上記水栓柱の場合、ケーシング分割体が、木材を２つに縦割りして得られた２つの木材分割体から形成されているので、その外観が自然環境に馴染み易い上、廃棄処理の際にも環境破壊の要因とならない。
【０００８】
この発明において、ケーシング分割体を形成するための木材として、好適には、防腐処理が施された焼き丸太が用いられる。
【０００９】
２つのケーシング分割体によって構成されるケーシングの形状は、少なくとも立上り管を内蔵できる中空柱状のものであればよく、例えば、上下両端が塞がった柱の外観を呈するものの他、上下両端のうち少なくとも一方が開口した筒状のものであってもよい。ケーシングの横断面形状についても、例えば、円形、方形等にすることができる。ケーシングは、これに内蔵された立上り管を取り出すことができるような断面で２つに縦割りされていればよく、常に縦に半分に割られている必要はない。したがって、両ケーシング分割体の切断面に切削加工により立上り管収容用凹部が形成されている場合の他、一方のケーシング分割体の切断面のみに立上り管収容用凹部が形成され、他方のケーシング分割体が同凹部を塞ぐ蓋の役割を果たすような場合もある。また、ケーシングの周壁と給水用立上り管との間に硬質発泡樹脂等の断熱材を介在させるためのスペースをケーシング内に設けるようにしてもよい。
【００１０】
２つのケーシング分割体を分離自在に結合する手段は、木ねじである。木ねじは、前後２つのケーシング分割体にこれらの後方からねじ込まれる。なお、参考までに、２つのケーシング分割体をこれらに巻き付けた針金によって分離自在に結合するようにしてもよい。
【００１１】
この発明による水栓柱において、好ましくは、ケーシングの上下両端部のうち少なくとも上端部にキャップが嵌め被せられる。このようなキャップがあれば、ケーシング分割体どうしの隙間からケーシング内に雨水等が浸入するのを防止することができる。キャップは、ケーシングにねじで止めたり、あるいは、ケーシングが木材から形成されている場合には、これに釘で止めるようにしても良い。
【００１２】
ケーシングに内蔵される給水用立上り管は、通常、塩化ビニル管等の合成樹脂管から形成されるが、金属管から形成される場合もあり得る。
【００１３】
立上り管の下端が接続される給水管は、地中に埋設されている場合と、地上に配設されている場合とがある。立上り管の下端が地中埋設給水管に接続される場合、ケーシングは、その下端側が所要長さだけ地中に埋設されることにより、地面に立てられる。一方、立上り管の下端が地上配設給水管に接続される場合、ケーシングは、その下端側が所要長さだけ地中に埋設されることにより、地面に立てられる他、ケーシング下端部が地面に載置された支持台に支持固定されることにより、地面に移動自在に立てられる場合がある。後者の場合において、支持台は、基部と、基部の上面に設けられかつケーシングの下端部が嵌め込まれる筒状のケーシング保持部とよりなり、ケーシング保持部にボルト孔があけられ、同孔にねじ込まれた抜け止め用ボルトの先端がケーシングの下端部外面に圧接させられるようになっていることがある。
【００１４】
立上り管の下端と給水管、および立上り管の上端と給水栓とは、それぞれ管継手を介して接続される。管継手としては、好ましくは、エルボ等のＬ形管継手が用いられる。この場合、立上り管の上下両端部にそれぞれＬ形管継手の内端部を接続しておいてから、同管をケーシング内に収容する。前側ケーシング分割体における上下２つのＬ形管継手の外端開口に対応する箇所には、予め連通用孔をあけておき、同孔の周縁部に、Ｌ形管継手の外端部を、例えばビスや雌ネジを有する締付金具等によって固定しておく。もっとも、立上り管の下端と給水管、および立上り管の上端と給水栓のうち少なくとも一方の組を、前記Ｌ形管継手に代えて、ソケット等のストレート形管継手を介して接続するようにしてもよい。その場合、ケーシングを例えば上下両端または所要の一端に開口した筒状のものとし、同開口周縁部にストレート形管継手の外端部を固定すればよい。
【００１５】
【発明の実施の形態】
まず、図１〜４を参照して、この発明の第１の実施形態を説明する。図１には、この発明による水栓柱の全体が示されている。図示の水栓柱(1)は、下端が給水管(5)に接続される給水用立上り管(2)と、立上り管(2)を内蔵する中空柱状のケーシング(3)と、ケーシング(3)の上端部に設けられかつ立上り管の上端が接続されている給水栓(4)とを備えてなる。
【００１６】
ケーシング(3)は、前後２つに縦割りされ、２つのケーシング分割体(3A)(3B)が分離自在に結合されている。２つのケーシング分割体(3A)(3B)は、防腐処理が施された焼き丸太を２つに縦割りして得られた２つの丸太分割体から形成されている。両ケーシング分割体(3A)(3B)の切断面には切削加工により横断面略Ｕ形の立上り管収容用凹部(31)が全長にわたって形成されており、立上り管(2)は両凹部(31)にまたがって収容される。２つのケーシング分割体(3A)(3B)は、これらの上下両端部および長さ中央部の左右両側部分にそれぞれ後方からねじ込まれた木ねじ(6)によって、分離自在に結合されている。
【００１７】
立上り管(2)は、硬質塩化ビニル樹脂製管からなる。立上り管(2)の上下両端部には、Ｌ形管継手(7)の内端部が嵌め被せられて接着されている。Ｌ形管継手(7)は、Ｌ形管状をした硬質塩化ビニル樹脂製の管継手主体(71)と、管継手主体(71)の外端部内に嵌め込まれた金属製雌ねじ部材(72)とよりなる。Ｌ形管継手(7)の外端開口は前方に向けられており、これらに対応する前側ケーシング分割体(3A)の上下２箇所に、円形の連通用孔(32)があけられている。各連通用孔(32)の内端部には、Ｌ形管継手(7)外端のフランジ(711)を受ける段差(321)が設けられている。各Ｌ形管継手(7)の雌ねじ部材(72)には、ユニット取り出し金具(8)の内端側に設けられた雄ねじ部(81)が、連通用孔(32)を介してねじ込まれている。各ユニット取り出し金具(8)の外端には、連通用孔(32)の外縁部に受けられるフランジ(82)が設けられている。各ユニット取り出し金具(8)のフランジ(82)には、左右２つのねじ挿通孔(821)があけられており、同孔(821)を通して前側ケーシング分割体(3A)に木ねじ(6)がねじ込まれることにより、ユニット取り出し金具(8)、ひいてはＬ形管継手(7)付き立上り管(2)が、前側ケーシング分割体(3A)に固定されている。各ユニット取り出し金具(8)内の外端部に、雌ねじ部(83)が設けられている。そして、上側のユニット取り出し金具(8)の雌ねじ部(83)に、給水栓(4)の後端部に設けられた雄ねじ部(41)がねじ嵌められている。一方、下側のユニット取り出し金具(8)の雌ねじ部(83)に、ストレート形管継手(9)の後端部に設けられた雄ねじ部(91)がねじ込まれている。同管継手(9)の前端部は、給水管(5)の先端部内に挿入されて接着されている。
【００１８】
ケーシング(3)の上端部には、ポリプロピレン製のキャップ(10)が嵌め被せられている。キャップ(10)は、円形の頂壁部(10A)とその周縁から下方にのびる垂下壁部(10B)とよりなり、垂下壁部(10B)が、両ケーシング分割体(3A)(3B)の上端部に釘(11)で固定されている。なお、キャップ(10)の材料は、上記ポリプロピレンに限定されず、その他の合成樹脂、金属、木材等であってもよい。
【００１９】
上記水栓柱(1)は、例えば次のようにして組み立てられる。まず、図２に示すように、２つのケーシング分割体(3A)(3B)どうしを分離しておく。また、給水用立上り管(2)の上下両端部には、Ｌ形管継手(7)の内端部を接続しておく。そして、Ｌ形管継手(7)付き立上り管(2)を、前側ケーシング分割体(3A)(3B)の凹部(31)に収容し、各Ｌ形管継手(7)外端のフランジ(711)を連通用孔(32)の内縁部に当接させる。次に、各Ｌ形管継手(7)の雌ねじ部材(72)に、連通用孔(32)を通じて、ユニット取り出し金具(8)の雄ねじ部(81)をねじ込み、同金具(8)のフランジ(82)を前側ケーシング分割体(3A)に木ねじ(6)で固定する。その後、前側ケーシング分割体(3A)の後面に、後側ケーシング分割体(3B)の前面を重ねて、両分割体(3A)(3B)を木ねじ(6)で結合する。こうして形成されたケーシング(3)の上端部に、キャップ(10)を嵌め被せ、釘(11)で固定する。また、上側のユニット取り出し金具(8)の雌ねじ部(83)に、給水栓(4)の雄ねじ部(41)をねじ込んで、給水栓(4)を立上り管(2)の上端に接続する。以上のような簡単な作業によって、水栓柱(1)が組み立てられる。
【００２０】
上記水栓柱(1)は、図３〜５に示すように、ケーシング(3)の下端側部分が所要長さだけ地中に埋設されることにより、地面に立てられている。ケーシング(3)に内蔵された立上り管(2)の下端は、上述したようにＬ形管継手(7)、ユニット取り出し金具(8)およびストレート形管継手(9)を介して、給水管(5)に接続されている。
【００２１】
水栓柱(1)は、上記のように設置されて庭や公園等での吐水に使用されるが、例えば厳冬期に凍結によってケーシング(3)内の立上り管(2)が破損した場合には、次のようにして、立上り管(2)を交換すれば、修理できる。即ち、まず、水栓柱(1)の周囲の地面を掘り起こして立上り管(2)の下端を給水管(5)から外し、水栓柱(1)を取り出す。そして、ケーシング(3)の上端部からキャップ(10)を取り外しておいてから、２つのケーシング分割体(3A)(3B)にまたがってねじ込まれている木ねじ(6)を外すことにより、ケーシング分割体(3A)(3B)を分離する。さらに、ユニット取り出し金具(8)を前側ケーシング分割体(3A)に止めている木ねじ(6)を外して同金具(8)を緩めると、Ｌ形管継手(7)付き立上り管(2)が前側ケーシング分割体(3A)から外れるので、Ｌ形管継手(7)付き立上り管(2)を新しいものに換える。その後、前述した組立手順および設置手順に従って、水栓柱(1)の組立および設置を行えば、修理が完了する。このように、この発明によるケーシング(3)を備えた水栓柱(1)にあっては、立上り管(2)が破損した場合でも、水栓柱(1)全体を交換する必要がなく、実質的に立上り管(2)だけを交換すればよく、その交換作業も簡単である。
【００２２】
図６は、この発明の第２の実施形態を示すものである。図６の水栓柱(100)は、以下の点を除いて、図１〜５に示す水栓柱(1)と同じである。即ち、図６の水栓柱(100)では、立上り管(2)の下端が地上に配設された給水管(50)に接続されるようになっている。給水管(50)は、可撓性を有する給水ホースによって構成されている。なお、給水管(50)については、可撓性を有しない硬質合成樹脂管や金属管によって構成される場合もある。また、水栓柱(100)は、立上り管(2)を内蔵したケーシング(3)の下端部が地面に載置された支持台(12)に支持されることによって、地面に立てられており、移動自在となされている。支持台(12)は、円板状基部(121)と、基部(121)の上面中心部に設けられかつケーシング(3)の下端部が嵌め込まれる筒状のケーシング保持部(122)とよりなる。ケーシング保持部(122)に２つのボルト孔（図示略）があけられ、同孔にねじ込まれた抜け止め用ボルト(123)の先端がケーシング(3)の下端部外面に圧接させられるようになっている。前側ケーシング分割体(3A)の下端部に設けられたユニット取り出し金具(8)の前端雌ねじ部(83)には、給水管（給水ホース）(50)の先端部に取り付けられたホース継手(13)の雄ねじ部（図示略）がねじ込まれており、同継手(13)とユニット取り出し金具(8)とＬ形管継手(7)とを介して立上り管(2)の下端が給水管(50)に接続されている。なお、支持台の構造は、図６に示したものには限定されず、それ以外にも、例えば、基部の形状を方形板状にしたり、ケーシング保持部を基部の上面中心部からややずれた位置に設けてもよく、また、ケーシング保持部をケーシング下端部内に挿入可能な棒状のものとすることも可能である。
【図面の簡単な説明】
【図１】この発明の第１の実施形態を示すものであって、水栓柱のケーシングをこれに内蔵された給水用立上り管とともに示す斜視図である。
【図２】図１の水栓柱のケーシングの分解斜視図である。
【図３】図１のケーシングを備えた水栓柱を設置した状態を示す断面図である。
【図４】図３のIV−IV線に沿う拡大断面図である。
【図５】図３のV−V線に沿う拡大断面図である。
【図６】この発明の第２の実施形態を示すものであって、この発明による移動式水栓柱を示す斜視図である。
【符号の説明】
(1)(100)：水栓柱
(2)：給水用立上り管
(3)：ケーシング
(3A)(3B)：ケーシング分割体
(31)：立上り管収容用凹部
(32)：連通用孔
(4)：給水栓
(5)(50)：給水管
(6)：木ねじ
(7)：Ｌ形管継手
(12)：支持台
(121)：基部
(122)：ケーシング保持部
(123)：抜け止め用ボルト
【図１】
0003590889.tif 000002
【図２】
0003590889.tif 000003
【図３】
0003590889.tif 000004
【図４】
0003590889.tif 000005
【図５】
0003590889.tif 000006
【図６】
0003590889.tif 000007